(57)【要約】複数の容器を保持するためのパッケージ。当該パッケージはトップパネル、端部パネル及びサイドパネルを有する。当該パッケージは、容器を保持するための保持特徴部を有する。当該パッケージは、容器の周辺部で端部パネル及びサイドパネルを位置決めするために、ガセット（添接板）を有する。
2011502905.tif 000002
【特許請求の範囲】
【請求項１】
複数の物品を収容するためのパッケージであって、該パッケージは、
該パッケージの内側周辺で少なくとも部分的に延在するパネルであって、該パネルはトップパネルと、該トップパネルと折り曲げ可能に接続されたサイドパネルと、及び該トップパネルと折り曲げ可能に接続された端部パネルとを備える、パネルと、
該物品の１つの少なくとも一部を少なくとも部分的に受け入れるための該トップパネルの少なくとも１つの開口部と、
該サイドパネルと折り曲げ可能に接続された第１のガセットパネルと、
及び、該第１のガセットパネルと該端部パネルに折り曲げ可能に接続された第２のガセットパネルとを備える、パッケージ。
【請求項２】
該第１と第２のガセットパネルが向かい合って接触する、請求項１に記載のパッケージ。
【請求項３】
該第１のガセットパネルが該第２のガセットパネルと重なり合う、請求項２に記載のパッケージ。
【請求項４】
該サイドパネルの少なくとも一部が、該第１のガセットパネルと重なり合い、該第１のガセットパネルの少なくとも一部と向かい合って接触する、請求項３に記載のパッケージ。
【請求項５】
該サイドパネルの少なくとも一部が該第２のガセットパネルの少なくとも一部と向かい合って接触する、請求項４に記載のパッケージ。
【請求項６】
該第２のガセットパネルが該第１のガセットパネルと重なり合う、請求項２に記載のパッケージ。
【請求項７】
該端部パネルの少なくとも一部が該第２のガセットパネルに向かい合って接触する、請求項６に記載のパッケージ。
【請求項８】
該第２のガセットパネルが、該第１のガセットパネルと折り曲げ可能に接続された基礎部分と該第２のガセットパネルの末端部を含む伸張部を備える、請求項１に記載のパッケージ。
【請求項９】
該伸張部は該第１のガセットパネルの縁部を越えて横方向に伸張し、該第１のガセットパネルとの接続がなく、該伸張部は該サイドパネルと向かい合って接触する、請求項８に記載のパッケージ。
【請求項１０】
該基礎部分が該第１のガセットパネルと向かい合って接触する、請求項９に記載のパッケージ。
【請求項１１】
該第１のガセットパネルが、該第１のガセットパネルと該サイドパネルの両方に接着で取り付けられている、請求項９に記載のパッケージ。
【請求項１２】
上側の部分とフランジを有する飲料容器を備える該物品であって、該少なくとも１つの開口部が複数の開口部を備え、それぞれの該開口部が周縁部を備え、該トップパネルがそれぞれの該開口の該周縁部で該トップパネルと折り曲げ可能に取り付けられた複数のタブを備える、該物品と組み合わせられている請求項１に記載のパッケージ。
【請求項１３】
各開口部の該複数のタブが、該パッケージにて該容器を保持するように、該容器の１つの該上側の部分と接する２つの短いタブと該容器の該１つの該フランジの下側に接する２つの長いタブを備える、請求項５に記載のパッケージ。
【請求項１４】
複数の物品を収容するためのパッケージを形成するブランクであって、該ブランクは、
トップパネルと、該トップパネルと折り曲げ可能に接続されたサイドパネルと、及び該トップパネルと折り曲げ可能に接続された端部パネルとを備えるパネルと、
該トップパネルの少なくとも１つのレセプタクルと、
該サイドパネルと折り曲げ可能に接続された第１のガセットパネルと、
及び、該第１のガセットパネルと該端部パネルに折り曲げ可能に接続された第２のガセットパネルとを備える、ブランク。
【請求項１５】
該パッケージが該ブランクから形成される際、該第１と第２のガセットパネルが向かい合って接触をしている、請求項１４に記載のブランク。
【請求項１６】
該ブランクからパッケージが形成される際、該第１のガセットパネルは該第２のガセットパネルと重なり合い、該サイドパネルの少なくとも一部は、該第１のガセットパネルと重なり合い、該第１のガセットパネルの少なくとも一部と向かい合って接触をし、該サイドパネルの少なくとも一部が該第２のガセットパネルの少なくとも一部と向かい合った接触をする、請求項１５に記載のパッケージ。
【請求項１７】
該ブランクからパッケージが形成される際、該第２のガセットパネルは該第１のガセットパネルと重なり合い、該端部パネルの少なくとも一部が該第２のガセットパネルと向かい合って接触する、請求項１５に記載のブランク。
【請求項１８】
該第２のガセットパネルは、該第１のガセットパネルと折り曲げ可能に接続された基礎部分と、該第２のガセットパネルの末端部を含む伸張部を備える、請求項１４に記載のブランク。
【請求項１９】
該伸張部が、該第１のガセットパネルの縁部を越えて横方向に伸張し、該第１のガセットパネルと接続がない、請求項１８に記載のブランク。
【請求項２０】
ブランクからパッケージが形成される際、該伸張部が該サイドパネルと向かい合って接触をし、該基礎部分が該第１のガセットパネルと向かい合った接触をする、請求項１９に記載のブランク。
【請求項２１】
パッケージを形成するための方法であって、該方法は、
トップパネルを備えるブランクと、該トップパネルと折り曲げ可能に接続されたサイドパネルと、該トップパネルと折り曲げ可能に接続された端部パネルと、該トップパネルの複数のレセプタクルと、該サイドパネルと折り曲げ可能に接続された第１のガセットパネルと、及び該第１のガセットパネルと該端部パネルに折り曲げ可能に接続された第２のガセットパネルとの供給と、
該ブランクに相対して複数の物品の位置決めと、
該複数の物品が該複数のレセプタクルの各レセプタクルで少なくとも部分的に受け入れられるために、該物品に相対して該ブランクの位置決めと、
該パッケージの内側空間内で該物品を少なくとも部分的に取り囲むように、該トップパネルに相対して該端部パネルの下方への折り曲げと、
及び、該パッケージの内側空間内で該物品を少なくとも部分的に取り囲むように、該トップパネルに相対して該サイドパネルの下方への折り曲げとを備える、方法。
【請求項２２】
該サイドパネルの下方への折り曲げは、該第１のガセットパネルを該第２のガセットパネルと向かい合った状態に位置決めするために、該第２のガセットパネルの内方への折り曲げを備える、請求項２１に記載の方法。
【請求項２３】
該サイドパネルの下方への折り曲げは、該サイドパネルの少なくとも一部が該第１のガセットパネルと向かい合った状態への位置決めを備える、請求項２２に記載の方法。
【請求項２４】
該第２のガセットパネルが、該第１のガセットパネルと折り曲げ可能に接続された基礎部分と、該第１のガセットパネルの縁部を越えて伸張する伸張部とを備え、該サイドパネルの下方への折り曲げは、該サイドパネルの少なくとも一部が該伸張部と向かい合った状態への位置決めを備える、請求項２２に記載の方法。
【請求項２５】
該端部パネルの下方への折り曲げは、該第２のガセットパネルを該第１のガセットパネルと向かい合った状態に位置決めするために、該ガセットパネルの内方への折り曲げを備える、請求項２１に記載の方法。
【請求項２６】
該端部パネルの下方への折り曲げは、該端部パネルの少なくとも一部が該第２のガセットパネルと向かい合った状態への位置決めを備える、請求項２５に記載の方法。
【請求項２７】
該下方に折り曲げられた位置で該端部パネルと該サイドパネルをしっかりと取り付けるため、該第１のガセットパネルと、該第２のガセットパネルと、及び該サイドパネルとの少なくとも１つに接着剤を塗布する、請求項２１に記載の方法。
【発明の詳細な説明】
【技術分野】
【０００１】
本開示内容は、一般的には、容器を保持し且つ運搬するためのパッケージ又はカートンに関する。
【背景技術】
【０００２】
本出願は、２００７年１１月１５日出願の米国仮特許出願第６０／９８８，２９１号に対し、優先権を主張する。上記に述べた仮特許出願の全ての内容は、ここに参照されることで援用される。
【発明の概要】
【０００３】
本開示内容の一態様は通常、一般的に、複数の容器を保持するためのパッケージに関する。当該パッケージはトップパネルとサイドパネルを有する。当該パッケージは、容器を保持するための保持特徴部、及びパッケージの形成を容易にするためのガセット（添接板）特徴部を有する。
【０００４】
他の態様において本開示内容は、包括的に、複数の物品を収容するためのパッケージに関する。パッケージは、当該パッケージの内側周辺に少なくとも部分的に延在するパネルを備える。パネルは、トップパネル、トップパネルと折り曲げ可能に接続されたサイドパネル、及びトップパネルと折り曲げ可能に接続された端部パネルを備える。当該トップパネルの少なくとも1つの開口部は、物品群の１個の少なくとも一部を、少なくとも部分的に受け入れる。第１のガセットパネルはサイドパネルと折り曲げ可能に接続されていて、並びに第２のガセットパネルは第１のガセットパネル及び端部パネルと折り曲げ可能に接続されている。
【０００５】
他の態様において本開示内容は、一般的に、複数の物品を収容するためのパッケージを形成するブランクに関する。ブランクは、トップパネル、トップパネルと折り曲げ可能に接続されたサイドパネル、及びトップパネルと折り曲げ可能に接続された端部パネルを含むパネルを備える。少なくとも１つのレセプタクル（物品の受け口）がトップパネルに存在する。第１のガセットパネルはサイドパネルと折り曲げ可能に接続されており、並びに第２のガセットパネルは第１のガセットパネル及び端部パネルと折り曲げ可能に接続されている。
【０００６】
他の態様において本開示内容は、一般的に、パッケージを形成する方法に関する。当該方法は、トップパネルと、トップパネルと折り曲げ可能に接続されたサイドパネルと、トップパネルと折り曲げ可能に接続された端部パネルと、トップパネルの複数のレセプタクルと、サイドパネルに折り曲げ可能に接続された第１のガセットパネルと、及び、第１のガセットパネルと端部パネルに折り曲げ可能に接続された第２のガセットパネルを含むブランクとの供給を備える。当該方法は更に、ブランクに対する複数の物品の位置決め、及び物品に対するブランクの位置決めを備え、複数の物品が複数のレセプタクルの各レセプタクルで少なくとも部分的に受け入れられるようにしている。当該方法は更に、パッケージの内側の空間内で物品を少なくとも部分的に取り囲むようにトップパネルに対し端部パネルの下方への折り曲げ、並びにパッケージの内側の空間内で物品を少なくとも部分的に取り囲むようにトップパネルに対しサイドパネルの下方への折り曲げを備える。
【０００７】
当業者は、以下に列挙された図面を参照し、以下の実施例の詳細説明を読むことにより、上記の利点、その他の利点、及び多様な追加の実施例の利点を正しく認識するであろう。
【０００８】
一般的な慣例に従い、以下で説明する図面の多様な機能は、一定の縮尺比で描かれているとは限らない。図面の多様な機能や要素の寸法は、本開示内容の実施形態をより明確に示すために、拡大又は縮小されている場合がある。図面中、対応する要素は、対応する参照番号によって示される。
【図面の簡単な説明】
【０００９】
【図１】本開示内容の第1の実施例における、パッケージの形成のために使用されるブランクの外側側面部の平面図
【図２】パッケージに部分的に組み立てられた図１のブランクの上面図
【図３】更に部分的に組み立てられた図1のブランクの図
【図４】更に部分的に組み立てられた図１のブランクの図
【図５】第１の実施例のパッケージを組み立てるための代替の工程を示す図１のブランクの図
【図６】第１の実施例のパッケージを組み立てるための代替の工程を示す図１のブランクの図
【図７】図１のブランクから形成されたパッケージの側面斜視図
【図８】第２の実施例における、パッケージの形成のために使用されるブランクの外側側面部の平面図
【図９】第３の実施例における、パッケージの形成のために使用されるブランクの外側側面部の平面図
【図１０】第３の実施例のパッケージに部分的に組み立てられた図９のブランクの図
【図１１】第３の実施例におけるパッケージの側面斜視図
【図１２】第３の実施例のパッケージを組み立てるための代替の工程を示す図９のブランクの図
【図１３】第４の実施例における、パッケージの形成のために使用されるブランクの外側側面部の平面図
【発明を実施するための形態】
【００１０】
本開示内容は、一般的に、ビン、ボトル、缶などの容器を保持してディスプレイするための構造物、スリーブ、カートンなどやパッケージに関する。当該容器は、例えば、食品や飲料物品を包装するために使用可能である。当該容器は、特定の食品や飲料の物品を包装するための構成に適した材料から作成可能であり、当該材料には、ＰＥＴ、ＬＤＰＥ、ＬＬＤＰＥ、ＨＤＰＥ、ＰＰ、ＰＳ、ＰＶＣ、ＥＶＯＨ、及びナイロン等のプラスチックなど、アルミニウム及び／あるいはその他の金属、ガラス、又はこれらの任意の組合せを含むが、これらに限定はされない。
【００１１】
本開示内容によるパッケージは、多くの異なる形状の容器の包装を可能にしている。本開示内容の範囲を限定することを目的とせず、説明することを目的として、以下の詳細説明は、パッケージの実施例の内側に少なくとも部分的に配置される飲料容器（例えば、プラスチック容器）について説明する。本明細書において、「下部」、「ボトム」、「上部」、及び「トップ」という用語は、完全に組立てられたパッケージに関して決定される配置を示す。
【００１２】
本実施例は、容器に取り付け、容器を収容するためのカートン又はパッケージに係る。図７においては、パッケージ又はキャリア１５０が組立てられた状態で示されており、当該パッケージ又はキャリアは、３つの容器を２列に配置した容器Ｃに取り付けられている。例示された実施態様においては、容器Ｃは飲料容器として示されており、当該飲料容器は、概して、フランジ部Ｆ、及び上側頸部Ｎ、及びキャップ部ＣＰを備えるトップ部を有するが、本開示内容から逸脱することなく、他の寸法、形状、及び形態の容器がパッケージ１５０で保持されることもできる。容器の上側頸部Ｎは、パッケージ内の各開口部１８（例えば、レセプタクル）（図２）により受け入れられ、そしてここで更に説明される保持機能部によりパッケージ内で保持される。本開示内容から逸脱することなしに、当該容器は２ｘ３以外の構成とすることが可能である（例えば、２ｘ４、１ｘ３、１ｘ４、他）。
【００１３】
図１は、パッケージ又はキャリア１５０を形成するために使用されるブランク８の外側側面部３の平面図である。ブランク８は、長手方向軸線Ｌ１及び横断方向軸線Ｌ２を有する。ブランク８は、第１の横断折り線２１で第１の端部パネル２０と折り曲げ可能に接続され、且つ第２の横断折り線３１で第２の端部パネル３０と折り曲げ可能に接続されるトップパネル１０を備える。第１のサイドパネル４０は、第１の長手方向折り線４１でトップパネル１０と折り曲げ可能に接続されている。第２のサイドパネル５０は、第２の長手方向折り線５１でトップパネル１０と折り曲げ可能に接続されている。
【００１４】
例示された実施態様においては、ブランク８は、タブ２２及び２４で構成される６つのレセプタクル（物品の受け口）１２を含み、当該タブ２２及び２４は、各折り線３７並びに３９でトップパネル１０に接続されている。スリット６２及び６３はタブ２２、２４を別個にし、そして弓状スリット６４は折り線３７、３９を別個にする。弓状スリット６４及びタブの折り線３７、３９は、トップパネル１０の各開口部１８の周囲に延在し、且つ各開口部１８の周縁部を画成する。例示された実施態様においては、各開口部１８（図２）を囲むタブ２２、２４は異なる大きさになっていて、容器Ｃが開口部１８に差し込まれ、且つタブ２２、２４がトップパネル１０から上方へ突き出される際、短いタブ２２は容器の頸部Ｎのみに接触し、そして長いタブ２４は頸部及びフランジＦの下側部分の両方に接触し、キャリアが持ち上げられる場合に容器が保持される。多様な異なる形態のタブ（例えば、タブ２２、２４）が本開示内容の範囲に含まれる。
【００１５】
トップパネル１０の開口部１８（図２）の直径は、容器Ｃが包装されるために容器Ｃの頸部分Ｎの直径と関連性を有し、容器は、容器がレセプタクル１２の支持タブ２２、２４と接触し支持タブを折れ線で枢動させると同時に、開口部を突き抜けることができる。例示された実施態様においては、コーナー部に配置された開口部１８の支持タブ２２及び２４は、中心部に配置された開口部の支持タブ２２及び２４と比べ多少異なる設計になっている。両方の場合においては、支持タブ２２、２４は、隣接したタブの折り線３７、３９が互いに直角の位置関係となるように、４つの隣接したタブの形状に配置されている。両方の場合においては、向かい合って配置された一対のタブ２４は、もう一方の一対のタブ２２よりも長い。例示された実施態様においては、第２の端部パネル３０に隣接したトップパネル１０の２つの各コーナー部のレセプタクル１２のタブ２２、２４、スリット６２、６３、６４、及び折り線３７、３９は、中心部に配置された２つのレセプタクルのタブ、スリット、及び折り線の配置方向から、それぞれ時計方向及び反時計方向に約４５度回転された配置方向になっている。第１の端部パネル２０に近接したトップパネル１０の各コーナー部におけるレセプタクル１２のタブ２２、２４、スリット６２、６３、６４、及び折り線３７、３９は、中心部に配置された４つの開口部のタブ、スリット、及び折り線の配置方向から、それぞれ反時計方向及び時計方向に約４５度回転された配置方向になっている。トップパネル１０のレセプタクル１２は、本開示内容から逸脱することなしに、他のタブ、スリット、折り線、引き裂き線、その他を含む他の機能形状を有することも可能であり、並びに他の配置とされ且つ／又は形態とされることもできる。
【００１６】
ブランク８は、トップパネル１０の対応する各コーナー部にほぼ隣接するコーナー部の切り抜き部３２を含む。サイドパネル４０の折り線４２及びサイドパネル５０の折り線５２は、傾斜状のサイドパネルの領域を形成するために、各サイドパネルのそれぞれの切り抜き部３２の間で延在しており、当該傾斜状のサイドパネルは、ボトルの頸部とボトルの円筒部の間の容器形状の変化の移り変わりの領域においてボトルの傾斜面に、概して、一致させる。本開示内容から逸脱することなしに、コーナー部の切り抜き部３２は別の形状、構成、及び／又は形態となることができ、また取り除くこともできる。
【００１７】
ブランク８は、好適には、厚紙から形成される、しかし厚紙の態様の機能である十分な強度と可撓性を有するいかなる適する材料であってもよい。サイドパネル４０及び５０は、トップパネル１０の全長よりも長く、切り抜き部３２を越えて終端をなす。第１及び第２のガセットパネル４５、４７は、ブランク８のそれぞれのサイドパネル４０、５０及び端部パネル２０、３０の間の各コーナー部に配置される。例示される実施態様においては、端部パネル２０、３０は、第２のガセットパネル４７と折り曲げ可能に接続され、且つ端部パネルと折り曲げ可能に接続されたコーナー部の一部分４９を備える。ガセットパネル４５、４７及び端部パネル２０、３０のコーナー部の一部分４９は、それぞれの折り線５３、５５、５７、５９で折り曲げ可能に接続されている。ガセットパネル４５、４７及びコーナー部のパネル４９は、パッケージが容器Ｃの形状に一致するように、パッケージ１５０の形成をある程度容易にする。
【００１８】
ブランク８の各コーナー部では、第１のガセットパネル４５が、折り線５３でサイドパネル４０、５０の１つと折り曲げ可能に接続されており、第２のガセットパネル４７が、折り線５５で第１のガセットパネルと折り曲げ可能に接続されている。第２のガセットパネルは、折り線５７で端部パネル２０、３０のコーナー部の一部分４９と折り曲げ可能に接続されている。コーナー部の一部分４９は、折り線５９で各端部パネル２０、３０と折り曲げ可能に接続されている。本開示内容から逸脱することなしに、第１と第２のガセットパネル４５、４７及びコーナー部の一部分４９は、別の形状、構成、及び／又は形態にすることができる。例えば、１つの実施例においては、本開示内容から逸脱することなしに、各端部パネル２０、３０のコーナー部の一部分４９は取り除くことができる。
【００１９】
ブランク８は、横方向の折り線８６でトップパネル１０と折り曲げ可能に接続される取っ手パネル８４を含む。例示された実施態様においては、取っ手パネル８４は、曲げられた切り目８７、８９、９１により更に画成される。本開示内容から逸脱することなしに、ブランク８は取っ手パネル８４に対し他の取っ手特徴部を含めることができ、又は当該取っ手パネルを、別の形状、構成、及び／又は形態とすることができる。
【００２０】
図２乃至図７に例示されるように、１つの好適な方法に従ってパッケージ１５０を形成するために、包装されるボトルＣは互いに群とされ、そしてトップパネル１０が第一にボトルＣの上端部の上側より押し下げられる。ボトルＣのキャップ部ＣＰは支持タブ２２、２４に接し、トップパネルで開口部１８を形成するように、支持タブがトップパネル１０に対し上方へ枢動される。支持タブ２４の縁部がボトルフランジＦの下側へ係合される際に、これらのタブ２４が適切な位置でスナップ嵌めされるまで、容器Ｃの相対的な上方の移動は続けられる（図３）。１つの実施例においては、短い側のタブ２２はフランジＦまで届かないが、ボトルの頸部をきちんと係合する。
【００２１】
図３に示されるように、端部パネル２０、３０が、矢印Ａ１の方向においてトップパネル１０に対し下方へ折り曲げられる。次に第２のガセットパネル４７は、隣接する第１のガセットパネル４５、及びサイドパネル４０、５０が図４の適切な位置まで下方へ折り曲げられるように、矢印Ａ２の方向において内方へ折り曲げられる（図４）。図４に示されるように、第２のガセットパネル４７及び第１のガセットパネル４５は、第２のガセットパネル４７が第１のガセットパネル４５と接し且つ第１のガセットパネル４５と重なり合うような、向かい合わせの状態に導かれる。それぞれのサイドパネル４０、５０の一部は更に、それぞれのサイドパネルの一部が第１のガセットパネルに重なり合い且つ第１のガセットパネルと接するように、第１のガセットパネルと向かい合わせの状態になる。１つの実施例においては、端部パネル２０、３０のコーナー部の一部分４９は、第２のガセットパネル４７の内方への折り曲げの容易性に貢献し、且つパッケージ１５０をコーナー部にある容器Ｃにしっかりと固定して合わせることに適応させる。糊等の接着剤は、下方へ折り曲げられた位置でサイドパネル４０、５０がしっかりと取り付けられるように、第２のガセットパネル４７又は第１のガセットパネル４５に塗布適用することもできる。接着剤（例えば、糊）はまた、下方へ折り曲げられた位置でサイドパネルをしっかりと取り付けるために、第１のガセットパネル４５又は第１のガセットパネルに重なり合っている各サイドパネル４０、５０の一部に塗布することも可能である。
【００２２】
パッケージ１５０は、他の折り曲げとパネルの位置決めの工程で形成されることも可能である。例えば、図５及び図６は、ブランク８をパッケージ１５０に形成するための代替の形態を例示している。図５で示されるように、端部パネル２０、３０が下方へ折り曲げられる前に、サイドパネル４０、５０は、折り線４１、５１で矢印Ａ３の方向においてトップパネル１０に対し下方へ折り曲げられることも可能である。図６で示されるように、第１のガセットパネル４５は、第２のガセットパネル４７及び端部パネル２０、３０の下方への折り曲げを助勢するために、矢印Ａ４の方向において内方へ折り曲げられることが可能である。端部パネル２０、３０を下方へ折り曲げる前に、糊又はその他の接着剤をガセットパネル４５、４７のどちらか一方、又はその両方に塗布（適用）させることが可能である。端部パネル２０、３０が下方へ折り曲げられる際、ガセットパネル４５、４７は、第２のガセットパネル４７が第１のガセットパネル４５に重なり合いながら、向かい合わせの接触をする。図５及び図６の実施例においては、端部パネル２０、３０のコーナー部の一部分４９は、第２のガセットパネル４７と向かい合わせの状態になる。糊は、パッケージ１５０が形成された適切な位置でしっかりと固定されるように、端部パネル２０、３０、第１のガセットパネル４５、第２のガセットパネル４７、又はサイドパネル４０、５０の１つ又は１つ以上に塗布できる。
【００２３】
パッケージを形成する形態のいずれかにおいても、パッケージ１５０は、部分的に重なり合い且つ接着されたガセットパネル４５、４７の間、又は他のパネルの間に塗布された接着剤により、組み立てられた形態で保持される。他の折り曲げや、組み立てや、又は形成をする工程及び形態は、本開示内容の範囲内に含まれる。
【００２４】
図８は、第１の実施例と同様な特徴を有する、本開示内容の第２の実施例のブランク２０８を示す。従って、実施例の同様な又は同一な機能形状は類似の参照番号により与えられる。第２の実施例のブランク２０８は、各コーナー部に小さな開口部３２を含み、そしてガセットパネル４５、４７は、第１の実施例のガセットパネルとは異なる形状を有する。サイドパネル４０、５０は更に、各開口部３２の間に延在する追加された長手方向折り線４２ａ、５２ａを含む。各サイドパネル４０、５０は、トップパネル１０に対して位置決めをするために、追加された折り曲げ可能なパネルを有する。ブランク２０８は、ブランク８をパッケージ１５０に形成するため、上記で述べた同様な方法により、パッケージに形成されることが可能である。
【００２５】
図９は、本開示内容の第３の実施例のパッケージ３５０を形成するためのブランク３０８を示す。ブランク３０８は先の実施例と同様な特徴を有する。従って、実施例の同様な又は同一な機能形状は類似の参照番号により与えられる。第３の実施例のブランク３０８は、先の実施態様の第１及び第２のガセットパネルと同様な態様の機能を有する第１及び第２のガセットパネル４５、４７を有する。第３の実施例においては、各第２のガセットパネル４７は、開口部３２に隣接した基礎部分４７ａ、及び基礎部分から伸張するガセットパネルの末端部を含む伸張部４７ｂを有する。各第２のガセットパネル４７の伸張部４７ｂは、第１のガセットパネル４５の縁部４５ａを越えて横方向の外方へ伸張している。第２のガセットパネル４７の基礎部分４７ａは、折り線５７で端部パネル２０、３０のコーナー部の一部分４９と折り曲げ可能に接続され、且つ折り線５３でガセットパネル４５と折り曲げ可能に接続されている。伸張部４７ｂは、パッケージ３５０に接着剤の塗布に対し、大きなターゲットの領域を与える。第３の実施例の各第１のガセットパネル４５は更に、パッケージ３５０が組み立てられる際に伸張部４７ｂが第１のガセットパネルの縁部４５ａから外方に伸張し且つサイドパネル４０、５０の少なくとも一部でサイドパネル４０、５０の下に横たわるように、先の実施例よりも小さくなっている。
【００２６】
図９乃至図１２の実施例において、パッケージ３５０は、最初に矢印Ａ５の方向の下方へ端部フラップ２０、３０を折り曲げる第１の実施例と同様な方法により、組み立てることができる（図１０）。図１２で示されるように、第２のガセットパネル４７は、矢印Ａ６の方向で、第１のガセットパネル４５及びサイドパネル４０、５０の下側に向かって内方へ折り曲げられる。サイドパネル４０、５０が更に矢印Ａ７の方向で低位置に移されるに従い、第１のガセットパネルは、ガセットパネル４７の基礎部分４７ａと向かい合わせに接触する状態に導かれる。伸張部４７ｂは第１のガセットパネルの縁部４５ａを越えて延在する。サイドパネル４０、５０が更に下方へ折り曲げられるに従い、サイドパネルは第１のガセットパネル４５と重なり合い且つ第１のガセットパネル４５と、概して、向かい合わせの状態となり、当該第１のガセットパネル４５はガセットパネル４７の基礎部分４７ａ、及びガセットパネル４７の伸張部４７ｂと重なり合う。接着剤が、サイドパネル４０、５０の少なくとも一部が第２のガセットパネルの伸張部４７ｂの少なくとも一部と接着されるように、伸張部４７ｂ（又はサイドパネル４０、５０）に塗布されることも可能である。第２のガセットパネル４７の基礎部分４７ａは更に、第１のガセットパネル４５と接着することが可能である。別の折り曲げや組み立ての工程、及び形態は、本開示内容の範囲内に含まれる。
【００２７】
図１３は、第３の実施例のブランク３０８と同様な特徴を有する、本開示内容の第４の実施例のブランク４０８を示す。従って、実施例の同様な又は同一な機能形状は類似の参照番号により与えられる。第４の実施例のブランク４０８は、それぞれ斜めの折り線５５ａを有する第１のガセットパネル４５を含み、当該斜めの折り線５５ａは、各第２のガセットパネル４７と各第１のガセットパネルを接続している折り線５５に平行で、且つ折り線５５から離間されている。第４の実施例の追加された折り線５５ａは、異なるサイズを有する多様な容器Ｃに対してガセットパネル４５、４７をより緊密に一致させることを可能にしている。第４の実施例においては、各サイドパネル４０、５０と各第１のガセットパネル４５を接続している折り線５３は、当該折り線が第１のガセットパネルの縁部４５ａから開口部３２まで延在するに従い、横方向軸線Ｌ２に対し（参照するフレームに依存するが）上向き又は下向きに傾斜している。図１３で例示されるように、第１のガセットパネル４５及び第２のガセットパネル４７は、組み立てられた形態でガセットパネルがしっかりと固定されるためにより大きな表面積が与えられるように、先の実施例の同じガセットパネルよりも大きくなっている。本開示内容から逸脱することなしに、ガセットパネル４５、４７は他の形状となり、そして他の特徴を含むことができる。
【００２８】
図１３で例示されるように、各端部パネル２０、３０は、それぞれの横方向折り線２３、３３を含み、各端部パネルは、各横方向折り線において独立に折り曲げ可能に接続された２つの部分２０ａ、２０ｂ、及び３０ａ、３０ｂに分けられている。端部パネル２０、３０の各外側部分２０ａ、３０ａは、それぞれの曲げられた縁部３０ｃ、２０ｃを有する。各エンドパネル２０、３０は、曲げられた折り線１２５、１２７において各端部パネルと折り曲げ可能に接続された各取っ手パネル１２１、１２３を備える。
【００２９】
図１３の実施態様においては、ブランク４０８はトップパネルに取っ手特徴部１８４を含む。取っ手特徴部は、各折り線１８９、１９１でトップパネルと折り曲げ可能に接続されたそれぞれの取っ手パネル１８５、１８７を備える。パッケージがブランク４０８から形成される際に取っ手パネル１２１、１２３が折り曲げられることにより、パッケージは端部パネル２０、３０で握持されることが可能となり、且つ取っ手パネル１８５、１８７が折り曲げられることにより、トップパネルで握持されることが可能となる。例えば、使用者は、取っ手パネル１８５、１８４（１８７の間違え）のいずれかの一群に対し親指を位置決めすることができ、そして端部パネル２０、３０でパッケージを握持するために取っ手パネルを折り曲げるように、同じ手の他の４本の指を取っ手パネル１２１、１２３の１つに位置決めすることができる。この方法により、ブランク４０８からの形成されたパッケージは、使用者によって握持され且つ運搬されることが可能となる。代替的には、取っ手特徴部１８４のみが、ブランク４０８から形成されたパッケージが握持されるために使用されることも可能であり、又は端部パネル２０、３０の取っ手パネル１２１、１２３のみが、ブランクから形成されたパッケージが握持されるために使用されることも可能である。本開示内容から逸脱することなしに、ブランク４０８及び当該ブランクから形成されたパッケージは他の取っ手特徴部を有することができ、又は例示された取っ手特徴部を取り除くこともできる。
【００３０】
図１３の実施例においては、ブランク４０８は、ブランクから形成されたパッケージから容器Ｃを取り出すためのディスペンス特徴部を有する。各サイドパネル４０、５０は、トップパネル１０とサイドパネルを接続する各長手方向折り線４１、５１と、斜めのサイドパネルの領域を形成する長手方向折り線４２、５２の間で、サイドパネルの各引き裂き線１９５、１９７により形成される２つのタブ１９１、１９３を有する。トップパネル１０は、それぞれのタブ１９１、１９３に隣接する斜めの切れ目１９９を含んでおり、サイドパネル４０、５０から当該タブが分離されることによって、タブ１９１、１９３が稼動する際、当該切り目はトップパネルの引き裂きを容易にしている。ブランク４０８から形成されたパッケージでは、各タブ１９１、１９３は、サイドパネル４０、５０からタブを分離するため、握持され且つ持ち上げられることができる。各タブ１９１、１９３は更に、各レセプタクル１２から容器Ｃが取り出されることを容易にするため、引き裂きの始点又は切り目１９９でのトップパネル１０の変形の始点となるよう位置決めされ且つ引かれる。本開示内容から逸脱することなしに、ブランク４０８及び当該ブランクから形成されたパッケージは、他のディスペンス特徴部を有することも可能であり、又はここで例示され説明されたディスペンス特徴部は変更され又は取り除かれることが可能である。先の実施例に対する上記説明と同様な方法により、ブランク４０８はパッケージへ形成されることができる。
【００３１】
本開示内容に従い、ブランクは、例えば、コーティングされた厚紙や同様な材料から形成されることが可能である。例えば、ブランクの内側及び／又は外側は、粘土性（クレー）コーティングなどでコーティングが可能である。その後、粘土性コーティングには、物品、広告、価格コード、及び他の情報やイメージを印刷してもよい。その後、ブランクをニスでコーティングし、印刷した情報を保護してもよい。また、ブランクは、例えば、防湿層などでブランクの片面又は両面をコーティングしてもよい。以上で述べた実施例に応じて、通常の紙よりも重く且つ硬いような紙厚の厚紙にてブランクを作成してもよい。また、ボール紙、硬質紙、もしくは少なくとも、概して、ここで述べられた機能を可能にするカートンに適合した特徴を持つ材料とする他の材料でも、ブランクは作成可能である。また、選択されたパネルやパネルセクションにおいて、１つ以上のシート状材料で積層またはコーティングすることも、ブランクは可能である。
【００３２】
本開示内容の以上で述べた実施例に従って、折り線は、必ずしも直線である必要はないが、折り曲げることを促進するようなほぼ線状の弱化形態とすることが可能である。本開示内容を狭める意図ではないが、より具体的には、所望する弱化線に沿い材料に破砕部あるいは凹部を作成する、鈍いスコアリングナイフなどで形成された線等のスコア（刻み目）ラインや、所望する弱化線に沿い材料中に部分的に貫通する切り目、及び／又は所望する弱化線に沿い材料に部分的に及び／又は完全に貫通する一連の切り目、及びこれらの特徴の多様な組合せを、折り線は含む。
【００３３】
例示のように、所望する弱化線に沿い材料中に部分的に貫通するスリット、及び／又は、所望する弱化線に沿い材料中に部分的に及び／又は完全に貫通し離間された一連のスリット、又はこれらの特徴の多様な組合せを、引き裂き線は含むことが可能である。より具体的な例として、僅かに離間され近接したスリットを用い、材料を完全に貫通する離間された一連の形態から引き裂き線の１つのタイプは成り、典型的に、引き裂き線を横切る材料を一時的に接続するための近接したスリットの間において、刻み目部（例えば、小さく、多少架橋しているような一片の材料）を画成している。引き裂き線に沿って裂ける間に刻み目部は壊される。刻み目部は、典型的には、引き裂き線の比較的小さな割合にあり、且つ代替的には、引き裂き線が連続的な切れ目線であるような引き裂き線から取り除くこと、又は引き裂くことが、刻み目部は可能である。すなわち、連続的なスリット等へ置き換えることは、各引き裂き線に対し、本開示内容の範囲内にある。例えば、本開示内容から逸脱することなしに、切れ目線は連続的なスリット、又はスリットよりも幅広にすることが可能である。
【００３４】
カートンの実施例を組立てる間に糊によって接着された１つ以上のパネルを有するものとして、上記の実施例は説明されてもよい。「糊」という用語は、カートンパネルを定位置に固定するために一般的に使用される全ての態様の接着剤を含むことを意図する。
【００３５】
本開示内容の以上の説明は、多様な例示的な実施態様を例示し且つ説明している。本特許請求の範囲の精神や範囲を逸脱することなしに、多様な追加、変形、変更、その他が当該例示的な実施態様に対しなされることは可能である。上記の説明に含まれ、又は添付の図面により示された全ての内容は、例示目的であって、限定を意図するものではないと解されるべきである。本開示内容は更に、本開示内容の選択された実施態様のみを例示し且つ説明しているが、本開示内容は、その他の多様な組合せ、変形、及び状況において使用することが可能であり、上記の教示に相応し、及び／又は関連分野の技術又は知識内において、本明細書に示されるように、発明精神の範囲内の変更や変形を行うことが可能である。更に、それぞれの実施例の一定の特徴機能及び特色は、その他の例示、及び例示されていない本開示内容の実施例と選択的に置き換え、且つ取り替えをしてもよい。
【図１】
2011502905.tif 000003
【図２】
2011502905.tif 000004
【図３】
2011502905.tif 000005
【図４】
2011502905.tif 000006
【図５】
2011502905.tif 000007
【図６】
2011502905.tif 000008
【図７】
2011502905.tif 000009
【図８】
2011502905.tif 000010
【図９】
2011502905.tif 000011
【図１０】
2011502905.tif 000012
【図１１】
2011502905.tif 000013
【図１２】
2011502905.tif 000014
【図１３】
2011502905.tif 000015
【手続補正書】
【提出日】平成22年10月29日(2010.10.29)
【手続補正１】
【補正対象書類名】特許請求の範囲
【補正対象項目名】全文
【補正方法】変更
【補正の内容】
【特許請求の範囲】
【請求項１】
複数の物品を収容するためのパッケージであって、該パッケージは、
該パッケージの内側周辺で少なくとも部分的に延在するパネルであって、該パネルはトップパネルと、該トップパネルと折り曲げ可能に接続されたサイドパネルと、及び該トップパネルと折り曲げ可能に接続された端部パネルとを備える、パネルと、
該物品の１つの少なくとも一部を少なくとも部分的に受け入れるための該トップパネルの少なくとも１つの開口部と、
該サイドパネルと折り曲げ可能に接続された第１のガセットパネルと、
及び、該第１のガセットパネルと該端部パネルに折り曲げ可能に接続された第２のガセットパネルとを備える、パッケージ。
【請求項２】
該第１と第２のガセットパネルが向かい合って接触する、請求項１に記載のパッケージ。
【請求項３】
該第１のガセットパネルが該第２のガセットパネルと重なり合う、請求項２に記載のパッケージ。
【請求項４】
該サイドパネルの少なくとも一部が、該第１のガセットパネルと重なり合い、該第１のガセットパネルの少なくとも一部と向かい合って接触する、請求項３に記載のパッケージ。
【請求項５】
該サイドパネルの少なくとも一部が該第２のガセットパネルの少なくとも一部と向かい合って接触する、請求項４に記載のパッケージ。
【請求項６】
該第２のガセットパネルが該第１のガセットパネルと重なり合う、請求項２に記載のパッケージ。
【請求項７】
該端部パネルの少なくとも一部が該第２のガセットパネルに向かい合って接触する、請求項６に記載のパッケージ。
【請求項８】
該第２のガセットパネルが、該第１のガセットパネルと折り曲げ可能に接続された基礎部分と該第２のガセットパネルの末端部を含む伸張部を備える、請求項１に記載のパッケージ。
【請求項９】
該伸張部は該第１のガセットパネルの縁部を越えて横方向に伸張し、該第１のガセットパネルとの接続がなく、該伸張部は該サイドパネルと向かい合って接触する、請求項８に記載のパッケージ。
【請求項１０】
該基礎部分が該第１のガセットパネルと向かい合って接触する、請求項９に記載のパッケージ。
【請求項１１】
該第１のガセットパネルが、該第２のガセットパネルと該サイドパネルの両方に接着で取り付けられている、請求項９に記載のパッケージ。
【請求項１２】
上側の部分とフランジを有する飲料容器を備える該物品であって、該少なくとも１つの開口部が複数の開口部を備え、それぞれの該開口部が周縁部を備え、該トップパネルがそれぞれの該開口の該周縁部で該トップパネルと折り曲げ可能に取り付けられた複数のタブを備える、該物品と組み合わせられている請求項１に記載のパッケージ。
【請求項１３】
各開口部の該複数のタブが、該パッケージにて該容器を保持するように、該容器の１つの該上側の部分と接する２つの短いタブと該容器の該１つの該フランジの下側に接する２つの長いタブを備える、請求項５に記載のパッケージ。
【請求項１４】
複数の物品を収容するためのパッケージを形成するブランクであって、該ブランクは、
トップパネルと、該トップパネルと折り曲げ可能に接続されたサイドパネルと、及び該トップパネルと折り曲げ可能に接続された端部パネルとを備えるパネルと、
該トップパネルの少なくとも１つのレセプタクルと、
該サイドパネルと折り曲げ可能に接続された第１のガセットパネルと、
及び、該第１のガセットパネルと該端部パネルに折り曲げ可能に接続された第２のガセットパネルとを備える、ブランク。
【請求項１５】
該パッケージが該ブランクから形成される際、該第１と第２のガセットパネルが向かい合って接触をしている、請求項１４に記載のブランク。
【請求項１６】
該ブランクからパッケージが形成される際、該第１のガセットパネルは該第２のガセットパネルと重なり合い、該サイドパネルの少なくとも一部は、該第１のガセットパネルと重なり合い、該第１のガセットパネルの少なくとも一部と向かい合って接触をし、該サイドパネルの少なくとも一部が該第２のガセットパネルの少なくとも一部と向かい合った接触をする、請求項１５に記載のブランク。
【請求項１７】
該ブランクからパッケージが形成される際、該第２のガセットパネルは該第１のガセットパネルと重なり合い、該端部パネルの少なくとも一部が該第２のガセットパネルと向かい合って接触する、請求項１５に記載のブランク。
【請求項１８】
該第２のガセットパネルは、該第１のガセットパネルと折り曲げ可能に接続された基礎部分と、該第２のガセットパネルの末端部を含む伸張部を備える、請求項１４に記載のブランク。
【請求項１９】
該伸張部が、該第１のガセットパネルの縁部を越えて横方向に伸張し、該第１のガセットパネルと接続がない、請求項１８に記載のブランク。
【請求項２０】
ブランクからパッケージが形成される際、該伸張部が該サイドパネルと向かい合って接触をし、該基礎部分が該第１のガセットパネルと向かい合った接触をする、請求項１９に記載のブランク。
【請求項２１】
パッケージを形成するための方法であって、該方法は、
トップパネルと、該トップパネルと折り曲げ可能に接続されたサイドパネルと、該トップパネルと折り曲げ可能に接続された端部パネルと、該トップパネルの複数のレセプタクルと、該サイドパネルと折り曲げ可能に接続された第１のガセットパネルと、及び該第１のガセットパネルと該端部パネルに折り曲げ可能に接続された第２のガセットパネルとを備えるブランクを供すること、
該ブランクに相対して複数の物品を位置付けることと、
該複数の物品が該複数のレセプタクルの各レセプタクルで少なくとも部分的に受け入れられるために、該物品に相対して該ブランクを位置付けることと、
該パッケージの内側空間内で該物品を少なくとも部分的に取り囲むように、該トップパネルに相対して該端部パネルの下方への折り曲げることと、
及び、該パッケージの内側空間内で該物品を少なくとも部分的に取り囲むように、該トップパネルに相対して該サイドパネルを下方へ折り曲げること、とを備える、方法。
【請求項２２】
該サイドパネルの下方への折り曲げは、該第１のガセットパネルを該第２のガセットパネルと向かい合った状態に位置付けるために、該第２のガセットパネルの内方への折り曲げを備える、請求項２１に記載の方法。
【請求項２３】
該サイドパネルの下方への折り曲げは、該サイドパネルの少なくとも一部が該第１のガセットパネルと向かい合った状態への位置付けを備える、請求項２２に記載の方法。
【請求項２４】
該第２のガセットパネルが、該第１のガセットパネルと折り曲げ可能に接続された基礎部分と、該第１のガセットパネルの縁部を越えて伸張する伸張部とを備え、該サイドパネルの下方への折り曲げは、該サイドパネルの少なくとも一部が該伸張部と向かい合った状態への位置付けを備える、請求項２２に記載の方法。
【請求項２５】
該端部パネルの下方への折り曲げは、該第２のガセットパネルを該第１のガセットパネルと向かい合った状態に位置付けるために、該ガセットパネルの内方への折り曲げを備える、請求項２１に記載の方法。
【請求項２６】
該端部パネルの下方への折り曲げは、該端部パネルの少なくとも一部が該第２のガセットパネルと向かい合った状態への位置付けを備える、請求項２５に記載の方法。
【請求項２７】
該下方に折り曲げられた位置で該端部パネルと該サイドパネルをしっかりと取り付けるため、該第１のガセットパネルと、該第２のガセットパネルと、及び該サイドパネルとの少なくとも１つに接着を更に適用する、請求項２１に記載の方法。
【手続補正２】
【補正対象書類名】明細書
【補正対象項目名】００２５
【補正方法】変更
【補正の内容】
【００２５】
図９は、本開示内容の第３の実施例のパッケージ３５０を形成するためのブランク３０８を示す。ブランク３０８は先の実施例と同様な特徴を有する。従って、実施例の同様な又は同一な機能形状は類似の参照番号により与えられる。第３の実施例のブランク３０８は、先の実施態様の第１及び第２のガセットパネルと同様な態様の機能を有する第１及び第２のガセットパネル４５、４７を有する。第３の実施例においては、各第２のガセットパネル４７は、開口部３２に隣接した基礎部分４７ａ、及び基礎部分から伸張するガセットパネルの末端部を含む伸張部４７ｂを有する。各第２のガセットパネル４７の伸張部４７ｂは、第１のガセットパネル４５の縁部４５ａを越えて横方向の外方へ伸張している。第２のガセットパネル４７の基礎部分４７ａは、折り線５７で端部パネル２０、３０のコーナー部の一部分４９と折り曲げ可能に接続され、且つ折り線５５でガセットパネル４５と折り曲げ可能に接続されている。伸張部４７ｂは、パッケージ３５０に接着剤の塗布に対し、大きなターゲットの領域を与える。第３の実施例の各第１のガセットパネル４５は更に、パッケージ３５０が組み立てられる際に伸張部４７ｂが第１のガセットパネルの縁部４５ａから外方に伸張し且つサイドパネル４０、５０の少なくとも一部でサイドパネル４０、５０の下に横たわるように、先の実施例よりも小さくなっている。
【国際調査報告】
2011502905.tif 000016
2011502905.tif 000017